(57)【要約】      （修正有）【課題】垂直軸の周りに回転して風向きに正対するだけでなく、斜め上下からの風向きにも正対する風向・風速計を提供する。【解決手段】基台１１０と、基台の面に垂直な垂直軸の周りに回転可能な垂直軸回転手段１２０と、垂直軸回転手段に取り付けられ、垂直軸回転手段が有する水平軸の周りに回転する水平軸回転手段１３０と、水平軸に直角な軸の周りに回転する風車１４０と、水平軸回転手段の側面に、又は、側面に直角に設置された風車を設置するための風車把持棒に備えられ、斜め上又は斜め下から来る風を受けて、水平軸回転手段を水平軸の周りに回転し風に正対させる平板翼１５０と、垂直軸に対していずれの方向から来る風に対しても垂直軸回転手段を回転するための風を受ける垂直翼１６０とを備える。【選択図】図１
0003189250.tif 000002
【実用新案登録請求の範囲】
【請求項１】
基台と、前記基台の面に垂直な垂直軸の周りに回転可能な垂直軸回転手段と、前記垂直軸回転手段に取り付けられ、前記垂直軸回転手段が有する水平軸の周りに回転する水平軸回転手段と、前記水平軸に直角な軸の周りに回転する風車と、前記水平軸回転手段の側面に、又は、前記側面に直角に設置された前記風車を設置するための風車把持棒に備えられ、斜め上又は斜め下から来る風を受けて、前記水平軸回転手段を前記水平軸の周りに回転し風に正対させる平板翼と、前記垂直軸に対していずれの方向から来る風に対しても前記垂直軸回転手段を回転するための風を受ける垂直翼とを備えたことを特徴とする風向・風速計。
【請求項２】
前記平板翼は、前記水平軸回転手段の側面又は前記風車把持棒への取り付け部を中心に、風向きの方向の前後でウェイトバランスするように構成したことを特徴とする請求項１記載の風向・風速計。
【請求項３】
前記風車把持棒は、前記水平軸を回転の中心として、前記風車把持棒の反対側にウェイトバランス用の重りを備え、前記風車把持棒についた前記風車及び前記平板翼の重量による回転モーメントがつりあうように構成したことを特徴とする請求項又は請求項２記載の風向・風速計。
【請求項４】
前記前記平板翼に、風向きの方向に沿うように前記垂直翼が一体に形成されていることを特徴とする請求項１から請求項３のいずれか1つに記載の風向・風速計。
【請求項５】
前記基台には、方位を合わせるための磁針盤を備えたことを特徴とする請求項１から請求項４のいずれか1つに記載の風向・風速計。
【請求項６】
前記水平軸の周りの回転角、前記垂直軸の周りの回転角、前記風車の回転速度をセンサで計測したデータを表示又は無線送信する手段を備えたことを特徴とする請求項１から請求項５のいずれか1つに記載の風向・風速計。
【考案の詳細な説明】
【技術分野】
【０００１】
本考案は、上下斜め方向からの風にも常に正対する風向風速計に関するものである。
【背景技術】
【０００２】
従来、風向計、風速計には、特許文献１から特許文献９に見るような提案がなされている。
何れも似ているので、その代表として特許文献１に示された例を図２に掲載する。
風の来る方向に向かう垂直尾翼（垂直板）を備え、風速に対応して回転する風車（プロペラ）を備えている。この二つにより、基準の方角からの風向き角度を求め、プロペラの回転速度から風速を求めている。然しながら、従来のいずれの提案も風に正対するといっても、水平に流れる風にしか対応できていない。これは、垂直軸の周りにしか正対のための回転をしない構造だからである。実際には風は、斜め下や、斜め上から吹いたりしている。
特に、山間の高速道路などでは、谷の斜面に沿って吹き上がってくる風は、極めて強い場合が多く見られ、車を斜め下から吹き上げ横転させる力を持っている。このような斜め上下から吹き上げる風にまともに正対して風速を測定することには、従来の風向・風速計は向いていなかった。
【先行技術文献】
【特許文献】
【０００３】
【特許文献１】特開平８−１６００６３
【特許文献２】特開２０１１−２１９０７
【特許文献３】特開２００８−１５７９０１
【特許文献４】特開２００６−２９２５４０
【特許文献５】特開２００６−１０６２６
【特許文献６】特開２００１−１５３８７９
【特許文献７】特開平９−２４３６５２
【特許文献８】特開平８−１６００６５
【特許文献９】特開平５−２８１２４６
【考案の概要】
【考案が解決しようとする課題】
【０００４】
本考案の課題は、今までのように垂直軸の周りに回転して風向きに正対するだけでなく、斜め上下からの風向きにも正対する風向・風速計を提供することである。
【課題を解決するための手段】
【０００５】
本考案の風向・風速計は、斜め下や斜め上から吹く風にも正対するように、水平軸の周りに回転自在な平板翼を付け、風車が上下に回転可能にしている。
以下、請求項に沿って記述する。
【０００６】
請求項１記載の考案は、風向・風速計であって、
基台と、前記基台の面に垂直な垂直軸の周りに回転可能な垂直軸回転手段と、前記垂直軸回転手段に取り付けられ、前記垂直軸回転手段が有する水平軸の周りに回転する水平軸回転手段と、前記水平軸に直角な軸の周りに回転する風車と、前記水平軸回転手段の側面に、又は、前記側面に直角に設置された前記風車を設置するための風車把持棒に備えられ、斜め上又は斜め下から来る風を受けて、前記水平軸回転手段を前記水平軸の周りに回転し風に正対させる平板翼と、前記垂直軸に対していずれの方向から来る風に対しても前記垂直軸回転手段を回転するための風を受ける垂直翼とを備えたことを特徴とする。
【０００７】
請求項２記載の考案は、請求項１記載の風向・風速計において、
前記平板翼は、前記水平軸回転手段の側面又は前記風車把持棒への取り付け部を中心に、風向きの方向の前後でウェイトバランスするように構成したことを特徴とする。
【０００８】
請求項３記載の考案は、請求項又は請求項２記載の風向・風速計において、
前記風車把持棒は、前記水平軸を回転の中心として、前記風車把持棒の反対側にウェイトバランス用の重りを備え、前記風車把持棒についた前記風車及び前記平板翼の重量による回転モーメントがつりあうように構成したことを特徴とする。
【０００９】
請求項４記載の考案は、請求項１から請求項３のいずれか1つに記載の風向・風速計において、前記前記平板翼に、風向きの方向に沿うように前記垂直翼が一体に形成されていることを特徴とする。
【００１０】
請求項５記載の考案は、請求項１から請求項４のいずれか1つに記載の風向・風速計に置いて、前記基台には、方位を合わせるための磁針盤を備えたことを特徴とする。
【００１１】
請求項６記載の考案は、請求項１から請求項５のいずれか1つに記載の風向・風速計に置いて、前記水平軸の周りの回転角、前記垂直軸の周りの回転角、前記風車の回転速度をセンサで計測したデータを表示又は無線送信する手段を備えたことを特徴とする。
【考案の効果】
【００１２】
以上の様に構成されているので、本考案による風向・風速計は、斜め上下からの風向きにも正対するので、山間部などで斜め下や斜め上から吹く風にも正対し、風の風速を正確に測定でき注意報等に反映できる。
【図面の簡単な説明】
【００１３】
【図１】本考案による風向・風速計の一実施態様を示す図である。
【図２】従来の風向・風速計の例を示す図である。
【考案を実施するための形態】
【００１４】
本考案の風向・風速計は、斜め下や斜め上から吹く風にも正対するように、水平軸の周りに回転自在な平板翼を付け、風車が上下に回転可能な手段を有する。
以下図に沿って説明する。
【００１５】
図１は、本考案による風向・風速計の一実施態様を示す図である。
本考案の風向・風速計１００は、基台１１０と、この面に垂直な垂直軸の周りに回転する垂直軸回転手段１２０と、この垂直軸回転手段に取り付けられ、水平軸の周りに回転する水平軸回転手段１３０と、この水平軸回転手段１３０に水平軸に直角な軸の周りに回転する風車１４０と、上又は下の斜め方向から来る風を受けて、水平軸回転手段１３０を水平軸の周りに回転し風に正対させる平板翼１５０と、垂直軸に対していずれの方向から来る風に対しても垂直軸回転手段を回転するために風を受ける垂直翼１６０とを備える。
【００１６】
以下、その詳細を説明する。
基台１１０の面には、垂直軸回転手段１２０が取り付けられるように垂直軸棒１１１が取り付けられる。地磁気の方向に対して風向を決定するのが好都合であるので、磁石方位盤が１１２が備えているとよい。磁石の北にＮ（北）のマークを合わせれば、このセットを地磁気の向きに合わせたことになり、風がどの方向から来ているかを正確に求めることが出来る。又、基台１１０の面には、ＬＣＤ等の電子表示器１１３を備えていると好都合である。風向きや風速を表示するためである。尚、他の監視装置へデータを送付する無線通信装置を備えてもよい。基台１１０は、使用状態に適した大きさ、形状、付属物が可能である。
例えば、手に持つて使用する場合は、手の握りの対応した大きさ、握り形状が必要であり、机上など平坦なところに置いて使う場合は、基台１１０の底部が平坦である必要があり、柱等に固定設置して使用する場合は、固定具を備えることが必要である。
【００１７】
基台１１０の面には、垂直軸回転手段１２０が取り付けられるように垂直軸棒１１１が取り付けられ垂直軸回転手段１２０は、垂直軸棒１１１に対して回転自在（水平面内で）に取り付けられ、水平軸１２１を備えている。垂直軸の周りに回転できるので、風向きの水平成分に対して回転し風に正対する。尚、風向きに対して垂直軸回転手段１２０を動かすのは垂直翼１６０であるので、垂直翼１６０は、垂直軸回転手段１２０に直接つけても良い。
【００１８】
水平軸１２１には、この周りに回転自在に結合をした水平軸回転手段１３０がある。
水平軸回転手段１３０の側面に、又は、図のようにこれに直角に設置された風車設置をするための風車把持棒１３１を介して、平板翼１５０が設置されている。平板翼１５０は、水平の風しかない（斜め下や斜め上からの風が無い）場合に、好ましくは、風の流れの方向で、回転バランスがとれる（回転モーメントがつりあう）ように構成するのがよい。
尚、この例では、平板翼１５０に垂直翼１６０を一体構成しているが、前述のようにこれにこだわらない。
【００１９】
尚、風車把持棒１３１は、水平軸１２１を回転の中心として、風車把持棒１３１の反対側にウェイトバランス用の重り１７０を備え、前記風車把持棒１３１についた風車１４０及び平板翼１５０（垂直翼１６０一体の場合はこれも含む）の重量による回転モーメントとがつりあうように構成される。
【００２０】
風車１４０は、風車把持棒１３１につけられている。この例では、風車把持棒１３１を回転軸としてこの周りに回る垂直軸型風車が付いている、風車把持棒１３１は、平板翼１５０のために、斜め下や斜め上からの風に直角になり、従って、風車１４０も風を良く受ける向きになっている。所謂、水平軸型風車を取り付けた場合には、風車把持棒１３１に直角な軸の周りに回転するものとなる。
尚、風車１４０の回転は、例えば、風車の回転軸の近傍又は、風車把持棒１３１の下に取り付いた回転検出センサ（例えば、回転を受けて回る磁石とこの磁気を受けるコイルでパルスとして検出する）で受け、風車把持棒１３１又は垂直軸棒１１１を介して、基台１１０に内蔵された測定制御部に送り、電子表示器１１３に表示したり、他の監視装置にデータを送付したりする。同様に、垂直軸回転手段１２０の回転角は、測定制御部に送り、電子表示器１１３に表示したり、他の監視装置にデータを送付したりする。
【産業上の利用可能性】
【００２１】
以上のように本考案による風向・風速計は、斜め下や斜め上から吹く風にも正対して風向と風速を検出するので、産業上利用して極めて好都合である。
【符号の説明】
【００２２】
１００  風向・風速計
１１０  基台
１１１  垂直軸棒
１１２  磁石方位盤
１１３  電子表示器
１２０  垂直軸回転手段
１２１  水平軸
１３０  水平軸回転手段
１３１  風車把持棒
１４０  風車
１５０  平板翼
１６０  垂直翼
【図１】
0003189250.tif 000003
【図２】
0003189250.tif 000004
【手続補正書】
【提出日】平成25年12月12日(2013.12.12)
【手続補正１】
【補正対象書類名】実用新案登録請求の範囲
【補正対象項目名】請求項３
【補正方法】変更
【補正の内容】
【請求項３】
前記風車把持棒は、前記水平軸を回転の中心として、前記風車把持棒の反対側にウェイト
バランス用の重りを備え、前記風車把持棒についた前記風車及び前記平板翼の重量による
回転モーメントがつりあうように構成したことを特徴とする請求項１又は請求項２記載の風向・風速計。
【手続補正２】
【補正対象書類名】実用新案登録請求の範囲
【補正対象項目名】請求項４
【補正方法】変更
【補正の内容】
【請求項４】
前記平板翼に、風向きの方向に沿うように前記垂直翼が一体に形成されていることを
特徴とする請求項１から請求項３のいずれか1つに記載の風向・風速計。